(57)【要約】【課題】  被検者とマット部及び天板をより確実に固定する構造を有する寝台を提供する。【解決手段】  寝台105は、被検者2を載置するマット部105bと、マット部105bをスライド可能に支持する天板部105aと、被検者2をマット部105bに固定する固定部105hと、天板105aに設置される第1のアタッチメント部材105ｄと、マット部105ｂに前記第1のアタッチメント部材105ｄと嵌合可能に設置される第2のアタッチメント部材105ｃと、を具備する。【選択図】          図3
2012110554.tif 000002
【特許請求の範囲】
【請求項１】
被検者を載置するマット部と、
マット部をスライド可能に支持する天板部と、
前記被検者を前記マット部に固定する固定部と、を有する寝台であって、
前記天板に設置される第１のアタッチメント部材と、
前記マット部に前記第１のアタッチメント部材と嵌合可能に設置される第２のアタッチメント部材と、を具備することを特徴とする寝台。
【請求項２】
前記第１のアタッチメント部材と第２のアタッチメント部材は、前記マット部の長手方向に配置されるものであって、X線の透過を阻害しない材質で形成されることを特徴とする請求項１に記載の寝台。
【請求項３】
前記第１のアタッチメント部材と第２のアタッチメント部材は、前記マット部の短手方向であって前記被検者の透過X線を阻害しない位置に配置されることを特徴とする請求項１に記載の寝台。
【請求項４】
被検者を横臥させる寝台と、前記被検者のＸ線を照射するＸ線源と、前記Ｘ線源と対向配置され前記被検者の透過Ｘ線を検出するＸ線検出器と、前記被検者の所望位置の断層画像を得るための断層面を回転軌道とするように前記Ｘ線源を回転させる回転部と、前記回転部によって回転されて複数の方向から検出される前記透過Ｘ線を用いて前記被検者の所望位置の断層画像を演算する演算部と、前記被検者の所望位置の断層画像を表示する表示部と、を具備するＸ線ＣＴ装置であって、前記寝台は、請求項１乃至３の何れか一項に記載の寝台であることを特徴とするＸ線ＣＴ装置。
【請求項５】
前記第１のアタッチメント部材と第２のアタッチメント部材は、前記マット部の長手方向に配置されるものであって、磁気を阻害しない材質で形成されることを特徴とする請求項１に記載の寝台。
【請求項６】
前記第１のアタッチメント部材と第２のアタッチメント部材は、前記マット部の短手方向であって磁気を阻害しない位置に配置されることを特徴とする請求項１に記載の寝台。
【発明の詳細な説明】
【技術分野】
【０００１】
本発明は、被検者と天板を固定する機構を具備する寝台及びそれを有するX線CT装置に関する。
【背景技術】
【０００２】
X線CT装置やMRI装置などの寝台を具備する医療用画像診断装置では、寝台に被検者を横臥させて医用画像を撮影する。医用画像の撮影中に動くおそれがある被検者には、寝台に被検者を固定するための固定バンドを装着することがある。固定バンドを被検者に装着する理由は、医用画像の撮影中の被検者の動きが体動アーチファクトの原因となるためである。体動アーチファクトは医用画像を不鮮明とするため、再度の撮影を余儀なくされる。再度の撮影は病院の診断のスループットを低下させるだけでなく、X線CT装置にあっては失敗した撮影がX線の無効被曝になってしまうという問題も生じることになる。
【０００３】
特許文献1では、面ファスナで構成される固定バンドを用いて被検者を天板に固定することが開示されている。
【先行技術文献】
【特許文献】
【０００４】
【特許文献１】特開2005-80948号公報
【発明の概要】
【発明が解決しようとする課題】
【０００５】
上述の特許文献1は、面ファスナで構成される固定バンドであるから、被検者が激しく動いたり、被検者が大きい体型であったりする場合、被検者をマット部に固定する固定バンドが外れ易いため、天板からマット部が外れてしまうことがあった。このため、被検者が激しく動く場合や大きい体型の場合に天板及びマット部と被検者を確実に固定する構造が望まれている。
【０００６】
本発明の目的は、被検者とマット部及び天板をより確実に固定する構造を有する寝台及びそれを有するX線CT装置を提供することにある。
【課題を解決するための手段】
【０００７】
前記目的を達成するために、本発明によれば以下に示すような寝台及びそれを有するX線CT装置が提供される。
【０００８】
(1)本発明の寝台は、被検者を載置するマット部と、マット部をスライド可能に支持する天板部と、前記被検者を前記マット部に固定する固定部と、を有する寝台であって、前記天板に設置される第1のアタッチメント部材と、前記マット部に前記第1のアタッチメント部材と嵌合可能に設置される第2のアタッチメント部材と、を具備する。
【０００９】
(2)本発明のX線CT装置は、被検者を横臥させる寝台と、前記被検者のX線を照射するX線源と、前記X線源と対向配置され前記被検者の透過X線を検出するX線検出器と、前記被検者の所望位置の断層画像を得るための断層面を回転軌道とするように前記X線源を回転させる回転部と、前記回転部によって回転されて複数の方向から検出される前記透過X線を用いて前記被検者の所望位置の断層画像を演算する演算部と、前記被検者の所望位置の断層画像を表示する表示部と、を具備するX線CT装置であって、前記寝台は、前記(1)に記載の寝台である。
【００１０】
上記構成によれば、第1のアタッチメント部材と第2のアタッチメント部材とが嵌合することにより、天板とマット部が強固に固定されるため、被検者の激しい動きや体型の大きさに依存しないで被検者とマット部とを固定する構造を提供することができる。
【発明の効果】
【００１１】
本発明によれば、被検者とマット部及び天板をより確実に固定する構造を有する寝台及びそれを有するX線CT装置を提供することができる。
【図面の簡単な説明】
【００１２】
【図１】実施形態のX線CT装置の全体の外観を説明する斜視図。
【図２】実施形態のX線CT装置の全体構造を示すブロック図。
【図３】実施例1の寝台105の天板105aとマット部105bの取り付け構造を示す斜視図。
【図４】図3の寝台105に被検者2が乗った態様を説明する図。
【図５】図4の断面図。
【図６】実施例2の寝台105の天板105aとマット部105bの取り付け構造を示す斜視図。
【図７】図6の寝台105に被検者2が乗った態様を説明する図。
【図８】図7のA-A断面図。
【発明を実施するための形態】
【００１３】
本発明の一実施形態の寝台及び医用画像診断装置について説明する。
ここでは、医用画像診断装置の例としてX線CT装置を用いて説明することとする。
まず、本実施形態のX線CT装置の全体構造を図1、図2を用いて説明する。図1は、X線CT装置1の外観図、図2は、図1の全体構造を示すブロック図である。
【００１４】
X線CT装置1は、図1および図2に示すように、ガントリ100と寝台105と操作ユニット120とを備える。
【００１５】
ガントリ100は、図2に示すように、回転円盤部102と、ガントリ制御装置108と、寝台制御装置109と、X線制御装置110と、これらを収容するガントリカバー100aとを有して構成される。
【００１６】
回転円盤部102は、図2に示すように、寝台105上に載置された被検者2が入る開口部104を備える回転フレーム40と、回転フレーム40に搭載された、X線管51、コリメータ103およびX線検出ユニット56とを備え、被検者2の周囲を回転する。回転円盤部102は、回転軸方向を寝台105の天板主平面に対して水平にした状態と、傾斜させた状態で、それぞれ回転可能に支持するティルト機構を有している。
【００１７】
X線管51は寝台105上に載置された被検者2にX線を照射する装置である。コリメータ103はX線管51から照射されるX線の放射範囲を制限する装置である。X線検出ユニット56は、X線検出器256aとデータ収集装置256bとを含む。X線検出器256aは、回転フレーム40上でX線管51と対向配置され、被検者を透過したX線を検出することにより透過X線の空間的な分布を計測する装置である。X線検出器256aは、多数のX線検出素子を回転フレーム40の回転方向に配列したもの、若しくは回転フレーム40の回転方向と回転軸方向との2次元に配列したものである。データ収集装置256bは、X線検出器256aが検出したX線量をデジタルデータとして収集する装置である。
【００１８】
ガントリ制御装置108は、回転円盤部102の回転を制御する装置であり、その一部である制御部55は回転フレーム40に搭載されている。寝台制御装置109は、寝台105の上下前後動を制御する装置である。
【００１９】
X線制御装置110は、X線管51に入力される電力を制御する装置であり、その一部である高電圧発生ユニット53,54と冷却装置52は、回転フレーム40に搭載されている。
【００２０】
操作ユニット120は、入力装置121と、画像演算装置122と、表示装置125と、記憶装置123と、システム制御装置124とを備えている。入力装置121は、被検者氏名、検査日時、撮影条件などを入力するための装置であり、具体的にはキーボードやポインティングデバイスである。画像演算装置122は、X線検出ユニット56のデータ収集装置256bから送出される計測データを演算処理してCT画像再構成を行う装置である。表示装置125は、画像演算装置122で作成されたCT画像を表示する。記憶装置123は、データ収集装置256bで収集したデータ及び画像演算装置122で作成されたCT画像の画像データを記憶する。システム制御装置124は、これらの装置及びガントリ制御装置108と寝台制御装置109とX線制御装置110を制御する装置である。
【実施例１】
【００２１】
本発明の実施例1では、第1のアタッチメント部材と第2のアタッチメント部材をマット部の長手方向に配置されるものであって、X線の透過を阻害しない材質で形成される例について図3〜5を用いて説明する。
【００２２】
図3は実施例1の寝台105の天板105aとマット部105bの取り付け構造を示す斜視図、図4は図3の寝台105に被検者2が乗った態様を説明する図、図5は図4の断面図である。
【００２３】
ここで、天板105aはカーボンで構成されている。マット部105bは、内部がスポンジで構成されており、周りが塩化ビニルで覆われている。マット部105bの材質は、そのマット部105bを使用する医用画像診断機器において画像形成に影響しない材質であればよい。具体的には、X線CTで使用するものの場合にはX線による撮像に写らない材質、MRI装置で使用するものの場合には磁器に影響しない材質のものであればよい。例えばマット部105bの材質の他の例としては内部を発泡スチロールなどにしてもよい。
【００２４】
アタッチメントレール105cは、図3に示すように、L字状の形状をしており、マット部105bに図面の下方に向けて取り付けられている。アタッチメントレール105dは、アタッチメントレール105cと同じ形状をしており、天板105aに図面の上方に向けて、アタッチメントレール105cと対向配置されるように取り付けられる。これらのアタッチメントレール105c、105dの材質は、例えば、X線吸収係数が小さい(CT値を34〜38HU程度に調整)ウレタン樹脂やポリプロピレンなどの合成樹脂などものを用いるものとする。
【００２５】
アタッチメントレール105cは、縫製、接着などでマット部105bに取り付けられる。アタッチメントレール105dは、アタッチメントレール105cと同様に、縫製、接着によって天板105aに取り付けられても良いが、天板105aと着脱可能なようにネジにより取り付けてもよい。
【００２６】
いずれにしても、それぞれのアタッチメントレール105cとアタッチメントレール105dが嵌まり合うことでマット部105bと天板105aが連結される。
【００２７】
実施例1ではアタッチメントレール105cとアタッチメントレール105dがL字形状をしているが、L字形状に限定する必要は無く、様々な形状で実現することが可能である。例えばアタッチメントレール105cがT字の雄型のアタッチメントレールに、アタッチメントレール105dがT字の雌型にそれぞれ置き換わればよい。
要は嵌め合い構造を形成できるアタッチメントレールならば形状は問わない。
【００２８】
また、アタッチメントレール105cとアタッチメントレール105dはマット部105bの長さと同等の長さを持つ連続的なレールとして示されているが、断続的な複数のレールの組合せにより構成しても良い。断続的な複数のレールであれば、レールの加工性の観点から望ましい。
【００２９】
図4、図5に示すように、マット部105bには軟質の幅広バンド105eがされる。さらに幅広バンド105eには被検者2の体軸長手方向に係止溝105fを有する係止レール105gが取り付けられる。幅広バンド105eと係止レール105gは、ウレタン樹脂やポリプロピレンなどの合成樹脂によって形成され、共にX線CT装置で使用するものの場合にはX線による撮像に写らない材質、MRI装置で使用するものの場合には磁器に影響しない材質のものである。また被検者2を固定するための固定バンド105hは係止部材105iを有し、係止溝105fと係止部材105iを嵌合することで固定バンド105hが被検者2の体軸方向に自在に可動するよう幅広バンド105eに連結される。
【００３０】
実施例1によれば、アタッチメントレール105cとアタッチメントレール105dとが嵌合することにより、天板105aとマット部105bが強固に固定されると共に、アタッチメントレール105cとアタッチメントレール105dの素材がマット部105bと同様に剛性を有しているので、被検者の激しい動きや体型の大きさに応じて被検者の体に合うように撓むため、被検者の激しい動きや体型の大きさに依存しないで、被検者とマット部及び天板をより確実に固定する構造を有する寝台及びそれを有するX線CT装置を提供することができる。
【００３１】
また、実施例1の特有の効果は、被検者2が寝台105に固定されるが、アタッチメントレール105cとアタッチメントレール105dはマット部105bの長手方向端部より内側に配置されているため、固定バンド105hで被検者を巻いた際にマット部105bの一部が弾性変形し、被検者2とマット部105b、固定バンド105hとの隙間が生じることなく高い密着性で被検者2を天板105aに固定することができる。
【００３２】
また、固定バンド105hは被検者2の体軸方向に自在に移動可能なゴム等の伸縮自在な部材で形成されているため、被検者2の太い胴回りや細い足などのどのような部位に対しても高い密着性で被検者2を固定できる。
【００３３】
従って、被検者2の体格や体型、部位を選ぶことなく高い密着性を有するため、撮影中の医用画像の画質の低下を招く被検者2の体動に対して影響を受けにくく、医療用画像診断装置が鮮明な画像を取得することが可能となる。
【００３４】
また、無意識の被検者2が目を覚まして暴れたことがあったとしても、本構成によれば被検者2から固定バンド105hに加わる力はマット部105bの長さほどの長尺のアタッチメントレール105cとアタッチメントレール105dにて強固に受けるため固定バンド105hは外れること無く、被検者2を固定し撮影を継続できる。
【００３５】
さらに、保守性については、固定バンド105h、マット部105b、アタッチメントレール105cが汚損、および破損した場合も必要に応じて天板105aよりマット部105bを外して容易に交換することができる。
【実施例２】
【００３６】
本発明の実施例2では、第1のアタッチメント部材と第2のアタッチメント部材を、マット部の短手方向であって被検者の透過X線を阻害しない位置に配置する例について図6〜8を用いて説明する。
なお、実施例1で説明した部分は、説明を省略にする。
【００３７】
図6は寝台105の天板105aと、被検者2を載置するマット部105bの連結構造を示す斜視図、図7は図6の寝台105に被検者2が乗った態様を説明する図、図8は図7の断面図である。
【００３８】
実施例1と同様に天板105aにはアタッチメントレール105dが取り付けられ。マット部105bにはアタッチメントレール105cが取り付けられる。
【００３９】
ここで、実施例1と異なる点はアタッチメントレール105cとアタッチメントレール105dが配置される位置であり、実施例2では被検者2の体軸方向と垂直90°の方向、すなわち、マット部105bの短手方向に配置することである。また、図6に示すとおり、アタッチメントレール105cとアタッチメントレール105dの位置は被検者2の透過X線の経路に重ならない位置に配置される。
【００４０】
マット部105bには実施例1と同様には幅広のバンド105eが取り付けられ、さらに幅広バンド105eには被検者を固定する固定バンド105hが取り付けられる。この時、固定バンド105hは、実施例1と同様に、係止部材105iと係止溝105fを介して被検者2の体軸方向に自在に可動できるよう連結する。
【００４１】
実施例2によれば、アタッチメントレール105cとアタッチメントレール105dとが嵌合することにより、天板105aとマット部105bが強固に固定されると共に、アタッチメントレール105cとアタッチメントレール105dの素材がマット部105bと同様に剛性を有しているので、被検者の激しい動きや体型の大きさに応じて被検者の体に合うように撓むため、被検者の激しい動きや体型の大きさに依存しないで、被検者とマット部及び天板をより確実に固定する構造を有する寝台及びそれを有するX線CT装置を提供することができる。
【００４２】
また、実施例2の特有の効果は、アタッチメントレール105cとアタッチメントレール105dが撮影時にX線を照射する撮影範囲外に配置されることにより、アタッチメントレールの材質を剛性の高い金属にすることができる。従って、実施例1よりもマット部4をアタッチメントレールにより強固に保持できる。
【００４３】
また、実施例1と同様にポリプロピレンなどの合成樹脂でも良く、この場合、合成樹脂製のアタッチメントレールがX線に照射されないからX線による経年劣化が起きないため、アタッチメントレールの長寿命化も期待できる。
【００４４】
また、天板105aに取り付けられるアタッチメントレール105dとマット部105bに取り付けられるアタッチメントレール105cを複数部材のレールにより構成した場合、アタッチメントレール105dを例えばネジ留めで着脱可能なように天板105aに設置し、適宜レール数を変更することでアタッチメントレール105dの全長を変更して、アタッチメントレール105cとアタッチメントレール105dの嵌合長さを自在に変更できる。
【００４５】
これにより、被検者2の体幅に合わせてアタッチメントレール105cとアタッチメントレール105dの体幅方向(体軸垂直方向)の嵌合長さを調整できるため、さまざまな体格の被検者2に対しても高い密着性で固定することが可能となる。
【００４６】
本実施形態によれば、被検者2を載置するマット部105bに外力が加わったとしても、マット部105bが天板105aより外れることなくマット部105bを強固に保持することができる。
【符号の説明】
【００４７】
105  寝台、105a  天板、105b  マット部、105c  アタッチメントレール(マット部用)、105d  アタッチメントレール(天板用)、105e  幅広バンド、105f  係止溝、105g  係止レール、105h  固定バンド、105i  係止部材
【図１】
2012110554.tif 000003
【図２】
2012110554.tif 000004
【図３】
2012110554.tif 000005
【図４】
2012110554.tif 000006
【図５】
2012110554.tif 000007
【図６】
2012110554.tif 000008
【図７】
2012110554.tif 000009
【図８】
2012110554.tif 000010